(57)【要約】      （修正有）【課題】設備費がかからずメンテナンスが容易で、しかも、使用時の醗酵臭を抑えることができ、更に、害虫忌避効果があり殺虫剤等を用いなくてもよい、酵素温熱風呂を提供する。【解決手段】ヒノキ材からなる浴槽１０に、おが屑と、ふすまと、水からなる混合物２０を混入して醗酵させ、収容した。おが屑をヒノキ材とすることが好ましい。また、浴槽は、四辺の側壁１１と底板１２とで形成されていることが好ましい。【選択図】図１
0003213491.tif 000002
【実用新案登録請求の範囲】
【請求項１】
ヒノキ材からなる浴槽に、
おが屑と、ふすまと、水とを混入して醗酵させ、
ヒノキ材の浴槽に収容したことを特徴とする酵素風呂。
【請求項２】
浴槽に混入するおが屑をヒノキ材とし、
前記おが屑がヒノキ材であることを特徴とする請求項１に記載の酵素風呂。
【請求項３】
前記ヒノキ材からなる浴槽が、
四辺の側壁と底板とで形成されていることを特徴とする請求項１又は２に記載の酵素風呂。
【考案の詳細な説明】
【技術分野】
【０００１】
本考案は、ヒノキ材からなる浴槽に、おが屑と、ふすまと、水とを混入して醗酵させ、
ヒノキ材の浴槽に収容したことを特徴とする酵素風呂に関し、酵素の自然醗酵熱を利用した酵素風呂に関する。
【背景技術】
【０００２】
従来、この種の酵素の醗酵熱を利用した酵素風呂は、特許文献１や特許文献２に記載されているように、おが屑や木屑等に酵素を加えて醗酵させ、醗酵して温度が上昇したおが屑や木屑の中に身体を埋めて温浴するものが知られている。
このような酵素温浴装置により、血行が潤滑となって新陳代謝が促進され、酵素中に含まれている多くの植物性複合酵素が醗酵作用で培養され、これが皮膚呼吸を通して生体内に大きく作用し、これにより疲労回復及び美容上の効果、さらには神経痛、リウマチなどにも効果があるとされている。
【０００３】
特許文献１には、酵素による醗酵熱を利用した酵素温浴装置に関し、浴槽本体内の底部近くに中板を通気可能に設け、これにより浴槽本体の底板と中板との間に蒸気室を形成し、この蒸気室内に数多の噴出孔を有する蒸気管を導入し、中板上に金網又は布シーツを介して前記されたおが屑を入れ、このおが屑中に身体を埋めるようにしたことにより、連続入浴及び長時間入浴が可能となる、ことが記載されている。
特許文献２には、酵素木屑温浴用浴槽本体は、浴槽本体が外側の木製筐体と内側のステンレス筐体の二重構造となっており、木製筐体とステンレス筐体の両底部間には、蓄熱保温用の空間部を介在させてある。
また、この空間部に対応する木製筐体の壁面には貫通孔を設け、貫通孔を開閉する開閉板を配備し、酵素を添加した木屑を、被温浴者が入る浴槽内に適当量充填する。
一定時間後、酵素の分解作用による自然醗酵熱により、浴槽内が所定温度以上にまで上昇する、ことが記載されている。
【先行技術文献】
【特許文献】
【０００４】
【特許文献１】特公平６−２２５２０号公報、
【特許文献２】特開昭５１−１０４０１７号公報
【考案の概要】
【考案が解決しようとする課題】
【０００５】
しかしながら、特許文献１に記載の酵素温熱風呂は、温度を高温に保つために、浴槽本体の底板と中板との間に蒸気室を形成し、この蒸気室内に数多の噴出孔を有する蒸気管を導入する装置が必要となる。
特許文献２に記載の酵素木屑温浴用浴槽は、浴槽本体を二重構造とし、両底部間には蓄熱保温用の空間部を設け貫通孔を開閉する開閉板を配備する構造である。
いずれも、設備投資が高額となるという問題点がある。
【０００６】
また、従来の酵素温熱風呂は、醗酵時に臭いが発生し、この臭いが嫌いな者にとっては、酵素温熱風呂の使用が苦痛になる。しかも、酵素温熱風呂の表面には、ハエや蚊等の虫が集まり易く、殺虫剤等を使用しなければならない場合もあった。
【０００７】
そこで、本考案は上述の課題を解消すべく創出されたもので、設備費がかからずメンテナンスが容易で、しかも、使用時の醗酵臭を抑えることができ、更に、殺虫剤等を用いなくてもよい、酵素温熱風呂の提供を目的とする。
本考案は、低コストで運用でき、においの少ない酵素風呂を提供することを目的とする。
【課題を解決するための手段】
【０００８】
（１）本考案の酵素風呂は、ヒノキ材からなる浴槽に、おが屑と、ふすまと、水とを混入して醗酵させ、ヒノキ材の浴槽に収容したことを特徴とする。
（２）本考案の酵素風呂は、上記（１）において、
前記おが屑がヒノキ材であることを特徴とする。
（３）本考案の酵素風呂は、上記（１）又は（２）において、
前記ヒノキ材からなる浴槽が、四辺の側壁と底板とで形成されていることを特徴とする。
【考案の効果】
【０００９】
本考案は、上述の如き構成により、当初の目的を達成する。
すなわち、請求項１に記載の酵素風呂は、ヒノキ材からなる浴槽に、おが屑と、ふすまと、水とを混入して醗酵させ、ヒノキ材の浴槽に収容したことを特徴とするので、
浴槽の構成が単純であり設備費がかからない。
また、請求項２に記載の酵素風呂は、浴槽に混入するおが屑をヒノキ材とするので、
ヒノキチオールが害虫忌避効果があり、殺虫剤の散布は必要がなく、使用者が安全に入浴できる。
さらに、使用時の醗酵臭を抑制すると共に、リラックス効果を奏するので、
醗酵臭の嫌いな者でも極めて快適な使用ができるようになった。
請求項３に記載の酵素風呂は、前記ヒノキ材からなる浴槽が、四辺の側壁と底板とで形成されているので、
設備費がかからずメンテナンスが容易で、しかも、低コストで運用できる。
さらに、使用後のおが屑やふすまは肥料として再利用することができ、資源の循環に寄与することができる。
【００１０】
以上のように、本考案の酵素風呂は、メンテナンスが極めて容易で、しかも、快適な使用が可能になり、健康と高い美容効果を奏するなどといった有益な種々の効果を奏するものである。
【図面の簡単な説明】
【００１１】
【図１】本考案の酵素風呂の使用状態を示す断面図である。
【考案を実施するための形態】
【００１２】
以下、本考案の実施の形態を説明する。
本考案の酵素風呂は、ヒノキ材からなる浴槽に、おが屑と、ふすまと、水とを混入（これらを混合物２０とする）して醗酵させ、ヒノキ材の浴槽１０に収容したことを特徴とする。
【００１３】
＜おが屑＞
ここで、おが屑とは、ノコギリなどで木材を加工するときに生じる目の細かい（例えば１〜２ｍｍ程度の大きさ）木屑をいう。かつて、燃料としても注目され、固形化されたオガライトは、風呂などの燃料として戦後は普通に目にする存在であった。
エノキタケ、ナメコ、シイタケなどのキノコ栽培の培地などにも用いられている。
また、湿度がある程度一定に保たれるため、エビやカニが比較的長時間生きており、出荷用にも使われている。
本考案の酵素風呂においては、おが屑は、ヒノキ材からなることが好ましい。
おが屑に含まれているヒノキチオールは、防虫効果と共に、殺菌、消臭効果を有する。
しかも、ヒノキ材の香りが使用者をリラックスさせる効果もある。
【００１４】
＜ふすま＞
ここで、ふすまとは、小麦粉製造の副産物で、小麦粒から胚乳、胚芽を分けた残りの皮部が大部分であるが、少量の胚乳部も含んでいる。１ｍｍ程度の大きさが好ましい。
小麦製粉の際に２０〜２５％の割で製造される。
製粉工程から大ふすま、小ふすま、粉ふすまの３種類がでるが、混合されて飼料用として提供される。
ふすまには、不水溶性の食物繊維（約５０％程度）、粗タンパク質、粗脂肪、鉄分、カルシウム、マグネシウム、亜鉛、銅などが含まれている。
さらに詳細な成分を以下に示す。
すなわち、１００ｇあたりにおいて、
脂質：４３ｇ
（飽和脂肪酸０．６ｇ、多価不飽和脂肪酸２．２ｇ、一価不飽和脂肪酸０．６ｇを含む）
コレステロール  ０ｍｇ
ナトリウム      ２ｍｇ
カリウム        １１８２ｍｇ
炭水化物        ６５ｇ
食物繊維      ４３ｇ
糖質          ０．４ｇ
タンパク質      １６ｇ
その他  ビタミンＡ、Ｃ、Ｄ、Ｂ６、Ｂ１２，カルシウム、鉄、マグネシウムなど
【００１５】
＜ふすまに含まれる酵素＞
元来、小麦の種子の外皮は、子孫をつないでいくための「胚芽」と、発芽のための栄養成分「胚乳」を、厚く囲って守っている。
それは、種子が壊れないように堅牢であると共に、太陽光（紫外線）による酸化ダメージから守るためである。
大事な種子を保護する役目のふすまは、たん白質、ビタミン、ミネラル（特にリン、カリウム）、繊維を多く含んでいるだけでなく、ポリフェノールオキシダーゼという酵素が多く含まれており、小麦粉の生地を急速に褐色化させる。
ポリフェノールオキシダーゼは、ラッカーゼ，ウルシオールオキシダーゼともいう。
ｏ−，ｐ−ジフェノール，ｐ−フェニレンジアミン，アスコルビン酸などを酸化する反応を触媒する酵素であり、ウルシオールを酸化して褐色の色素を作る酵素である。
【００１６】
＜浴槽＞
おが屑と、ふすまと、水とを混入した混合物２０を醗酵させる浴槽１０は、
ヒノキ材からなり、四辺の側壁と底板とで形成されていることが好ましい。
これにより、設備費がかからずメンテナンスが容易で、しかも、低コストで運用できる。
【００１７】
＜使用態様＞
図１を用いて、本考案の酵素風呂を説明する。図１に示すように、
四辺の側壁１１（厚み４ｃｍ）と底板１２（厚み４ｃｍ）とで形成された浴槽１０（内寸で、縦２ｍ、横１．１ｍ、高さ５０ｃｍ）に、以下の質量割合で配合した混合物２０を充填する。
おが屑：１
ふすま：０．１〜１
水：０．１〜１
上面から１０〜１５ｃｍの深さを攪拌後、表面をならし、軽く押さえた。
これらの配合割合は、醗酵速度、醗酵維持時間、使用態様によって、適宜割合を変えるようにする。
通常の配合では、２４時間後に混合物２０は６０℃まで昇温する。
【産業上の利用可能性】
【００１８】
本考案の酵素風呂は、ヒノキ材からなる浴槽に、おが屑と、ふすまと、水とを混入して醗酵させ、ヒノキ材の浴槽に収容したことを特徴とするので、浴槽の構成が単純であり設備費がかからない。
また、ヒノキチオールが害虫忌避効果があり、殺虫剤の散布は必要がなく、使用者が安全に入浴できる。
さらに、使用時の醗酵臭を抑制すると共に、リラックス効果を奏するので、
醗酵臭の嫌いな者でも極めて快適な使用ができる。
さらに、本考案の酵素風呂は、ヒノキ材からなる浴槽が、四辺の側壁と底板とで形成されているので、設備費がかからずメンテナンスが容易で、しかも、低コストで運用できる。
さらに、使用後のおが屑やふすまは肥料として再利用することができ、資源の循環に寄与することができ、産業上の利用可能性が高い。
【符号の説明】
【００１９】
１０  浴槽
１１  側壁
１２  底板
２０  混合物
【図１】
0003213491.tif 000003